(57)【要約】      （修正有）【課題】携帯に便利で、外部の給電ソケットから電源を提供する必要がなく、複数個のＬＥＤ発光素子が上から下へ順に単独で点灯する携帯式環境保護祈祷用電子線香を提供する。【解決手段】一つの電子線香ロッド体１，制御回路２，複数個のＬＥＤ発光素子３と複数個の反射マスク４を含む。制御回路，ＬＥＤ発光素子と反射マスクがそれぞれ電子線香ロッド体の内部に設けられ、ＬＥＤ発光素子が縦方向に排列され、反射マスクが相対的に全てのＬＥＤ発光素子の上方に設けられ、制御回路がそれぞれ電気的にＬＥＤ発光素子と接続され、制御回路に少なくとも一つの電池モジュール２１が設けられ、制御回路が一つの電源伝送線に接続することにより電池モジュールを充電する。【選択図】図２
0003203148.tif 000002
【実用新案登録請求の範囲】
【請求項１】
携帯式環境保護祈祷用電子線香は、一つの電子線香ロッド体，一つの制御回路，複数個のLED発光素子と複数個の反射マスクを含んでなり、該電子線香ロッド体が、透光可能な材質を有し、該電子線香ロッド体がその内部に一つの収納空間を設け、その他に該電子線香ロッド体が一つの差込口を設け、該差込口と該収納空間が互いに連通し、且つ該電子線香ロッド体がその一端に一つの握持部を延伸するように設けられ、該制御回路が該電子線香ロッド体の収納空間内に設けられ、該制御回路が少なくとも一つの電池モジュール，一つのコネクターと一つの制御スイッチを電気的に接続してなり、該コネクターと該電子線香ロッド体の差込口が互いに対応し、該制御スイッチが該電子線香ロッド体を外向きに露出し、該LED発光素子が縦方向かつ間隔排列に該電子線香ロッド体の収納空間内に設けられ、当該LED発光素子がそれぞれ該制御回路と電気的に接続され、該反射マスクが互いに当該LED発光素子の上方に対応して設けられ、該制御回路が該電池モジュールにより独立給電の方式にて当該LED発光素子へ電源を提供し、且つ該制御回路が当該LED発光素子の点灯の順番を制御するために用いられることを特徴とする、携帯式環境保護祈祷用電子線香。
【請求項２】
該反射マスクが、相対的に当該LED発光素子の頂部位置に被覆するように用いられることを特徴とする、請求項1に記載の携帯式環境保護祈祷用電子線香。
【請求項３】
該LED発光素子の光源が、該反射マスクを経由することにより反射できることを特徴とする、請求項2に記載の携帯式環境保護祈祷用電子線香。
【請求項４】
該コネクターが、一つの電源伝送線に接続でき、該電源伝送線に一つのプラグが設けられ、該プラグが該差込口を突き抜けて該コネクターと電気的に接続されることを特徴とする、請求項1に記載の携帯式環境保護祈祷用電子線香。
【請求項５】
該電池モジュールが、充電式電池であってもよいことを特徴とする、請求項1に記載の携帯式環境保護祈祷用電子線香。
【請求項６】
該制御回路が、予め一つの閉鎖ディレイ時間を設定でき、当該LED発光素子を上から下へ順に単独で点灯するように制御するために用いられることを特徴とする、請求項1に記載の携帯式環境保護祈祷用電子線香。
【請求項７】
該制御回路は、一つの指示ランプを電気的に接続するように設けられ、該指示ランプが該電子線香ロッド体を外向きに露出できることを特徴とする、請求項1に記載の携帯式環境保護祈祷用電子線香。
【請求項８】
該電子線香ロッド体が、相対的に全てのLED発光素子の底部位置に対応してそれぞれ非透光部を設けてなることを特徴とする、請求項1に記載の携帯式環境保護祈祷用電子線香。
【請求項９】
一つの回路基板を更に有し、該回路基板が縦方向に該電子線香ロッド体の収納空間内に設けられ、該回路基板と該制御回路が電気的に接続し、且つ該回路基板が縦方向の間隔にて複数個の位置決め孔を設けてなり、その中でも、当該LED発光素子が縦方向の方式により相対的に該回路基板の全ての位置決め孔に設けられ、当該LED発光素子が直接に該回路基板と電気的に接続し且つ該制御回路と共に電気的な伝導を形成することを特徴とする、請求項1に記載の携帯式環境保護祈祷用電子線香。
【考案の詳細な説明】
【技術分野】
【０００１】
本考案は、携帯式環境保護祈祷用電子線香の提供に関するもので、特に独立給電の効果を有してユーザーの身につける携帯・使用に供してもよい電子線香を、指す。
【背景技術】
【０００２】
環境保護意識の向上に連れ、次第に省エネ・CO2削減の概念が人々により重視され、グリーンエネルギーの開発および利用が世界各国の積極的に投入・発展する重点となっているが、これ以外に、どのように品物を燃やすことにより生成された二酸化炭素を低減し、これにより、炭素排出量を減少し、地球の温室効果により招かれた衝撃を低減し、更に必要に世界各国の積極的に改善しようとする重点となっている。
【０００３】
人々の心中において、人の以上に神様が存在することを信じるが、そして伝統的な信仰・習慣の中において、アジア，東南アジア地区の人々がつまり祭神を信仰し、使用する燃え線香が即ち人々により神様との連絡に用いられるメディアとなり、従って線香を持って祭神するのは、更に最も基本的な敬神の儀式となっている。
【０００４】
更に伝統的な燃え線香が、主として香料または薬剤を添加する木材の粉末を、細長い木製スティックの上に付着し、そして伝統的な燃え線香が燃焼を介して作用を発揮し、燃焼時に香りとスモークを放出でき、これにより、神像の前に祈祷の宗教儀式とするために用いられる。
【０００５】
然しながら、伝統的な燃え線香が、燃焼時にスモークを放出でき、特に線香が盛んに燃える寺院に、沢山の燃え線香が同時に火をつけるので、大量のスモークを生成するが、環境保護の立場から見ると、燃え線香により生成された二酸化炭素が、つまり炭素排出量を増加でき、更に人体健康の立場から見ると、燃え線香により生成されたスモークが、微細な粉粒を有し、一旦燃え線香により生成された、多すぎるスモークを吸入すれば、人体に傷害を及ぼす可能性がある。
【考案の概要】
【０００６】
本考案の主な目的は、携帯式環境保護祈祷用電子線香を掲示するもので、一つの電子線香ロッド体，制御回路，複数個のLED発光素子と複数個の反射マスクを含んでなる。電子線香ロッド体が透光可能な材質であってもよく、その内部に収納空間を設けてなり、且つ電子線香ロッド体がその一端に握持部を延伸するように設けられ、握持部によりユーザーが電子線香ロッド体を握持するように供し、制御回路，LED発光素子と反射マスクがそれぞれ電子線香ロッド体の内部に設けられ、且つLED発光素子が縦方向間隔の方式により排列され、そして反射マスクが相対的に全てのLED発光素子の上方に設けられ、制御回路がそれぞれ電気的にLED発光素子と接続され、制御回路に少なくとも一つの電池モジュールが設けられ、且つ制御回路が一つの電源伝送線に接続することにより電池モジュールに対して充電を実行でき、電池モジュールにによりLED発光素子に対し給電を実行するように用いられ、独立給電の効果を有することを達成し、これにより、本考案の電子線香が、ユーザーの身につける携帯に供してもよいが、そして外部の給電ソケットに依頼して電源を提供する必要がなく、この他にも、更に制御回路により複数個のLED発光素子を制御するために用いられ、上から下へ順に単独で点灯し、これにより、伝統的な線香が燃える効果をシミュレーションする。
【実施方式】
【０００７】
審査官が本考案の他の特徴内容，利点およびその達成できる効果の表現を、より著しく容易かつ簡潔に了解できるように寄与するために、本考案が添付の図面に合わせ、本考案の特徴および利点を詳細に叙述し、ひいては下記の実施例が本考案の観点を詳細に説明するが、但し如何なる観点により本考案の範疇を制限するように用いられるものではない。
【０００８】
図1ないし図7を参照して示すように、本考案は、携帯式環境保護祈祷用電子線香を掲示するもので、一つの電子線香ロッド体1，一つの制御回路2，複数個のLED発光素子3と複数個の反射マスク4を含んでなる。
【０００９】
電子線香ロッド体1が透光可能な材質であってもよく、且つその内部に収納空間10を設けてなり、その他にも電子線香ロッド体1が一つの差込口11を設け、差込口11と収納空間10が互いに連通し、且つ電子線香ロッド体1がその一端に一つの握持部12を延伸するように設けられる。
【００１０】
制御回路2が電子線香ロッド体1の収納空間10の内に設けられ、制御回路2が少なくとも一つの電池モジュール21，一つのコネクター22と一つの制御スイッチ23を電気的に接続してなり、前述の電池モジュール21が充電式電池であってもよく、前述のコネクター22がコネクターのソケットであってもよく、且つ互いに電子線香ロッド体1の差込口11に対応し、前述の制御スイッチ23が電子線香ロッド体1の外部を外向きに露出し、更に制御回路2が一つの指示ランプ231を電気的に接続するように設けられ、指示ランプ231が電子線香ロッド体1を外向きに露出する。
【００１１】
複数個のLED発光素子3が縦方向かつ間隔排列に電子線香ロッド体1の収納空間10の内に設けられ、且つ複数個のLED発光素子3がそれぞれ制御回路2と電気的に接続され、制御回路2が複数個のLED発光素子の点灯の順番を制御するために用いてもよい。
【００１２】
反射マスク4が相対的に全てのLED発光素子3の上方に設けられ、前述の反射マスク4が逆U字型を呈してもよいが、これにより、反射マスク4が相対的に全てのLED発光素子3の頂部位置に被覆するように用いられる（例えば図5に示す）。
【００１３】
前述の制御回路2のコネクター22が、予め設定された電源伝送線5を一つ接続でき、電源伝送線5に一つのプラグ51が設けられ、プラグ51が差込口11を突き抜けてコネクター22と電気的に接続し、電源伝送線5を介して外部電源へ接続することにより、電池モジュール21に対して充電を実行する。電池モジュール21が充電を実行する時に、指示ランプ231の点灯の顔色が充電の指示としてもよいが（例えば指示ランプ231が赤色から緑色に変更する時に、充電の完成を表示する。）、また制御スイッチ23が起動する時に、指示ランプ231の点灯の顔色が電池モジュール21の電力量の指示としてもよい。（例えば指示ランプ231が緑色から赤色に変更する時に、電力量の不足を表示する。）
【００１４】
電子線香ロッド体1の握持部12がユーザーの握持に供してもよく、且つ制御スイッチ23を押さえ付けて制御回路2を起動でき、制御回路2が複数個のLED発光素子3の点灯の順番を制御するために用いてもよいが、例えば制御回路2を起動する時に、制御回路2により電子線香ロッド体1の頂部に位置するLED発光素子3が先に点灯するように制御するために用いてもよく、その後に制御回路2により複数個のLED発光素子3が上から下へ順に単独で点灯するように制御するが、即ち電子線香ロッド体1の頂部に位置するLED発光素子3が先に点灯する時に、制御回路2が予め一つの点灯時間を設定し、更に電子線香ロッド体1の頂部に位置するLED発光素子3の閉鎖を制御し、この時に次のLED発光素子3を起動する時に、上から下へ順に単独で点灯し、最後の一つ（電子線香ロッド体1の底部に位置し）のLED発光素子3まで終了し、これにより、伝統的な線香が燃える効果をシミュレーションする。
【００１５】
前述の電子線香ロッド体1が、相対的に全てのLED発光素子3の底部位置に対応してそれぞれ非透光部13（例えば図4に示すように）を設けてもよいが、非透光部13により全てのLED発光素子3の底部を遮蔽するように用いられ、LED発光素子3の底部の溶接部分が露出することを避け、これにより、全体の電子線香ロッド体1の美観性を維持する。前述の非透光部13がエンボス方式を利用して非透光性を呈してもよい。
【００１６】
本考案の携帯式環境保護祈祷用電子線香は、ひいては回路基板6を一つ含んでなり、回路基板6が縦方向にて電子線香ロッド体1の収納空間10の内に設けられ、更に制御回路2と電気的に接続し、且つ回路基板6が縦方向の間隔にて複数個の中空孔61（例えば図7に示すように）を設けてなるが、全てのLED発光素子3が縦方向の方式により相対的に全ての中空孔61に設けられ、且つLED発光素子3の設けた端子が直接に回路基板6と電気的に接続でき（例えば図6に示すように）、更に制御回路2と共に電気的な伝導を形成する。回路基板6に設けられた中空孔61により、この特殊な設計でLED発光素子3が一つの発光素子にて360°に照射を実行でき、そして2倍の発光素子によりこの目的を達成する必要がないが、このように使用する素子の数量を減少したら、コストを低減できる。
【００１７】
注意すべきは、LED発光素子3が発光する時に、本考案のLED発光素子3が非表面粘着方式（SMT）で、回路基板の上に設けられることにより、本考案のLED発光素子3が360°にて照射を行ってもよく、更に反射マスク4を介し、LED発光素子3の光源が反射マスク4を経由して反射され、光源を有効に集中することを達成し、ひいてはLED発光素子3の明度を増加するものである。
【００１８】
その他にも、本考案も、使用区域の特性（例えば一般な場所と特定の寺院）に根拠して区別でき、内部制御回路に符号化を設定し、そのために符号化の混用を避け、且つ泥棒と悪人による盗難を防止することにより、符号化の専用の目的に合致し、損耗率を低減する。
【図面の簡単な説明】
【００１９】
【図１】本考案の携帯式環境保護祈祷用電子線香の外観模式図である。
【図２】本考案の携帯式環境保護祈祷用電子線香の側断面図である。
【図３】本考案の携帯式環境保護祈祷用電子線香の充電実施例の模式図である。
【図４】本考案の携帯式環境保護祈祷用電子線香の実施例の模式図である。
【図５】本考案の携帯式環境保護祈祷用電子線香の他の実施例の側断面図である。
【図６】本考案の携帯式環境保護祈祷用電子線香の部分拡大模式図である。
【図７】本考案の携帯式環境保護祈祷用電子線香の回路基板構造の模式図である。
【符号の説明】
【００２０】
1  電子線香ロッド体  
2  制御回路
3  LED発光素子
4  反射マスク
5  電源伝送線
6  回路基板
10  収納空間    
11  差込口
12  握持部
13  非透光部
21  電池モジュール   
22  コネクター
23  制御スイッチ  
41  斜面
51  プラグ
61  中空孔
231  指示ランプ
【図１】
0003203148.tif 000003
【図２】
0003203148.tif 000004
【図４】
0003203148.tif 000005
【図５】
0003203148.tif 000006
【図６】
0003203148.tif 000007
【図３】
0003203148.tif 000008
【図７】
0003203148.tif 000009
【手続補正書】
【提出日】平成28年1月15日(2016.1.15)
【手続補正１】
【補正対象書類名】実用新案登録請求の範囲
【補正対象項目名】全文
【補正方法】変更
【補正の内容】
【実用新案登録請求の範囲】
【請求項１】
携帯式環境保護祈祷用電子線香は、一つの電子線香ロッド体，一つの制御回路，複数個のLED発光素子と複数個の反射マスクを含んでなり、該電子線香ロッド体が、透光可能な材質を有し、該電子線香ロッド体がその内部に一つの収納空間を設け、その他に該電子線香ロッド体が一つの差込口を設け、該差込口と該収納空間が互いに連通し、且つ該電子線香ロッド体がその一端に一つの握持部を延伸するように設けられ、該制御回路が該電子線香ロッド体の収納空間内に設けられ、該制御回路が少なくとも一つの電池モジュール，一つのコネクターと一つの制御スイッチを電気的に接続してなり、該コネクターと該電子線香ロッド体の差込口が互いに対応し、該制御スイッチが該電子線香ロッド体から外向きに露出し、該LED発光素子が縦方向かつ間隔配列に該電子線香ロッド体の収納空間内に設けられ、当該LED発光素子がそれぞれ該制御回路と電気的に接続され、該反射マスクが互いに当該LED発光素子の上方に対応して設けられ、該制御回路が該電池モジュールにより独立給電の方式にて当該LED発光素子へ電源を提供し、且つ該制御回路が当該LED発光素子の点灯の順番を制御するために用いられることを特徴とする、携帯式環境保護祈祷用電子線香。
【請求項２】
該反射マスクが、相対的に当該LED発光素子の頂部位置に被覆するように用いられることを特徴とする、請求項1に記載の携帯式環境保護祈祷用電子線香。
【請求項３】
該LED発光素子の光源が、該反射マスクを経由することにより反射できることを特徴とする、請求項2に記載の携帯式環境保護祈祷用電子線香。
【請求項４】
該コネクターが、一つの電源伝送線に接続でき、該電源伝送線に一つのプラグが設けられ、該プラグが該差込口を突き抜けて該コネクターと電気的に接続されることを特徴とする、請求項1に記載の携帯式環境保護祈祷用電子線香。
【請求項５】
該電池モジュールが、充電式電池であってもよいことを特徴とする、請求項1に記載の携帯式環境保護祈祷用電子線香。
【請求項６】
該制御回路が、予め一つの閉鎖ディレイ時間を設定でき、当該LED発光素子を上から下へ順に単独で点灯するように制御するために用いられることを特徴とする、請求項1に記載の携帯式環境保護祈祷用電子線香。
【請求項７】
該制御回路は、一つの指示ランプを電気的に接続するように設けられ、該指示ランプが該電子線香ロッド体から外向きに露出できることを特徴とする、請求項1に記載の携帯式環境保護祈祷用電子線香。
【請求項８】
該電子線香ロッド体が、相対的に全てのLED発光素子の底部位置に対応してそれぞれ非透光部を設けてなることを特徴とする、請求項1に記載の携帯式環境保護祈祷用電子線香。
【請求項９】
一つの回路基板を更に有し、該回路基板が縦方向に該電子線香ロッド体の収納空間内に設けられ、該回路基板と該制御回路が電気的に接続し、且つ該回路基板が縦方向の間隔にて複数個の位置決め孔を設けてなり、その中でも、当該LED発光素子が縦方向の方式により相対的に該回路基板の全ての位置決め孔に設けられ、当該LED発光素子が直接に該回路基板と電気的に接続し且つ該制御回路と共に電気的な伝導を形成することを特徴とする、請求項1に記載の携帯式環境保護祈祷用電子線香。